(57)【要約】【課題】本発明は光を補給できるホーム装飾額縁を開示した。【解決手段】壁を含み、前記壁の中には前方へ開口した乾燥チャンバが設置され、前記乾燥チャンバの後側内壁の中には除湿板が固定的に設置され、前記乾燥チャンバの中には水平軸が回転できるように、且つスライドできるように設置され、前記水平軸には凸台が固定的に連結され、前記凸台の中には伝動装置が設置され、前記凸台の中には前方へ開口した開き溝が設置され、本発明は構成が簡単で、操作が便利で、写真をガラス額縁の中に入れた後、光補給ライトにより光を補給でき、しかも凸台全体を乾燥チャンバの中に回転させて収納することができ、写真が湿気ることを防止でき、凸台が壁の外部に回転した時、乾燥チャンバの中に他の物を貯蔵できる。【選択図】図１
2020182793.tif 000002
【特許請求の範囲】
【請求項１】
正面視で、壁を含み、前記壁の中には前方へ開口した乾燥チャンバが設置され、前記乾燥チャンバの後側内壁の中には除湿板が固定的に設置され、前記乾燥チャンバの中には水平軸が回転できるように、且つスライドできるように設置され、前記水平軸には凸台が固定的に連結され、前記凸台の中には伝動装置が設置され、前記凸台の中には前方へ開口した開き溝が設置され、前記開き溝の後側内壁には光補給ライトが固定的に設置され、前記伝動装置により前記光補給ライトをつけることができ、前記開き溝の中には額縁装置が設置され、前記伝動装置と前記額縁装置との間が回転できるように連結され、前記乾燥チャンバの左右両側の内壁の中には手動装置が設置され、前記手動装置が前記水平軸の左右両端に回転できるように連結され、前記手動装置は前記乾燥チャンバの左右両側の内壁の中に左右対称的に、且つ連通するように設置されたガイドスライド溝を含み、前記ガイドスライド溝の中にはガイドスライドブロックがスライドできるように設置され、両側の前記ガイドスライドブロックがそれぞれ前記水平軸の左右両端に回転できるように連結され、前記ガイドスライドブロックの後端と前記ガイドスライド溝の後側内壁との間には&#24378;力バネが固定的に連結され、前記ガイドスライド溝のうち対称中心から離れている側の内壁の中には位置制限溝が連通するように設置され、前記位置制限溝のうち対称中心から離れている側の内壁の中には上方へ開口した凹溝が連通するように設置され、前記水平軸の左右両端がそれぞれ両側の前記凹溝の中に伸びており、且つ前記水平軸の左右両端には回転輪が固定的に連結され、前記回転輪の前端には回転ロッドが回転できるように連結され、前記回転ロッドの中には前方へ開口した連結溝が左右へ貫通するように設置され、前記連結溝の上下内壁の間には捻り軸が回転できるように連結され、前記捻り軸には手動ロッドが固定的に連結され、前記手動ロッドの上下両端と前記連結溝の上下内壁との間には捻りバネが固定的に連結され、前記手動ロッドの中にはネジ山抜き孔が左右へ貫通するように設置され、前記凹溝のうち対称中心から離れている側の内壁の中には前方へ開口した固定溝が連通するように設置され、前記固定溝のうち対称中心から離れている側の内壁の中にはバネ溝が連通するように設置され、前記バネ溝の中には挟み板がスライドできるように設置され、前記挟み板のうち対称中心に近接している一端が前記固定溝の中に伸びており、前記挟み板のうち対称中心から離れている一端と前記バネ溝のうち対称中心から離れている側の内壁との間には挟みバネが固定的に連結されたことを特徴とする光を補給できるホーム装飾額縁。
【請求項２】
前記凹溝の上下内壁の中には上方へ開口した収納溝が対称的に、且つ連通するように設置され、前記収納溝の後側内壁には固定ロッドが固定的に連結され、前記固定ロッドの前端にはネジ山回転盤が回転できるように連結され、前記ネジ山回転盤が前記ネジ山抜き孔とネジ山により連結されることができることを特徴とする請求項１に記載の光を補給できるホーム装飾額縁。
【請求項３】
前記伝動装置は前記開き溝の後側内壁の中に連通するように設置されたスライダガイドチャンバを含み、前記スライダガイドチャンバの中には起動スライダがスライドできるように設置され、前記起動スライダの前端が前記光補給ライトと接触した時に前記光補給ライトをつけることができ、前記起動スライダの中にはネジロッドがネジ山により連結され、前記スライダガイドチャンバの後側内壁の中にはギヤチャンバが連通するように設置され、前記ギヤチャンバの中には従動ギヤが回転できるように設置され、前記ネジロッドの後端が前記ギヤチャンバの中に伸びており、且つ前記従動ギヤに固定的に連結され、前記従動ギヤの右端には主動ギヤが噛み合うように設置され、前記主動ギヤのうち前記従動ギヤから離れている一端には長軸が固定的に連結され、前記ギヤチャンバの右側内壁の中には伝動チャンバが設置され、前記伝動チャンバの中には従動プーリが回転できるように設置され、前記長軸の右端が前記伝動チャンバの中に伸びており、且つ前記従動プーリに固定的に連結され、前記従動プーリの前側には主動プーリが回転できるように設置され、前記主動プーリと前記従動プーリとの間には伝動ベルトが連結され、前記主動プーリの中には短軸が固定的に連結され、前記短軸の左端が前記開き溝の中に伸びており、且つ前記額縁装置に連結されたことを特徴とする請求項１に記載の光を補給できるホーム装飾額縁。
【請求項４】
前記額縁装置は前記開き溝の中に回転できるように設置されたガラス額縁を含み、前記ガラス額縁の中には前方へ開口した写真貯蔵溝が設置され、前記短軸の左端が前記ガラス額縁の右端面に固定的に連結されたことを特徴とする請求項１に記載の光を補給できるホーム装飾額縁。
【発明の詳細な説明】
【技術分野】
【０００１】
本発明は装飾品分野を取り上げて、具体的には光を補給できるホーム装飾額縁である。
【背景技術】
【０００２】
一部の人は額縁で部屋を飾ることが好きであり、一般的に写真をきれいな額縁に入れ、また額縁を壁に掛け、部屋をもっと綺麗にし、お客さんを引き付けることもでき、しかし、もし部屋の日当たりが悪ければ、写真が普通の額縁に入れられたらはっきり見えなく、しかも写真を長時間壁に掛けると写真が湿気やすく、本発明が提出した光を補給できるホーム装飾額縁は、上記の問題を解決できる。
【先行技術文献】
【特許文献】
【０００３】
【特許文献１】中国特許出願公開第１０９４１９２３８号明細書
【発明の概要】
【発明が解決しようとする課題】
【０００４】
本発明は光を補給できるホーム装飾額縁を提供し、従来技術における上記問題を解決することを目的とする。
【課題を解決するための手段】
【０００５】
本発明は以下の技術プランを通じて実現される：  本発明の光を補給できるホーム装飾額縁は、壁を含み、前記壁の中には前方へ開口した乾燥チャンバが設置され、前記乾燥チャンバの後側内壁の中には除湿板が固定的に設置され、前記乾燥チャンバの中には水平軸が回転できるように、且つスライドできるように設置され、前記水平軸には凸台が固定的に連結され、前記凸台の中には伝動装置が設置され、前記凸台の中には前方へ開口した開き溝が設置され、前記開き溝の後側内壁には光補給ライトが固定的に設置され、前記伝動装置により前記光補給ライトをつけることができ、前記開き溝の中には額縁装置が設置され、前記伝動装置と前記額縁装置との間が回転できるように連結され、前記乾燥チャンバの左右両側の内壁の中には手動装置が設置され、前記手動装置が前記水平軸の左右両端に回転できるように連結され、前記手動装置は前記乾燥チャンバの左右両側の内壁の中に左右対称的に、且つ連通するように設置されたガイドスライド溝を含み、前記ガイドスライド溝の中にはガイドスライドブロックがスライドできるように設置され、両側の前記ガイドスライドブロックがそれぞれ前記水平軸の左右両端に回転できるように連結され、前記ガイドスライドブロックの後端と前記ガイドスライド溝の後側内壁との間には&#24378;力バネが固定的に連結され、前記ガイドスライド溝のうち対称中心から離れている側の内壁の中には位置制限溝が連通するように設置され、前記位置制限溝のうち対称中心から離れている側の内壁の中には上方へ開口した凹溝が連通するように設置され、前記水平軸の左右両端がそれぞれ両側の前記凹溝の中に伸びており、且つ前記水平軸の左右両端には回転輪が固定的に連結され、前記回転輪の前端には回転ロッドが回転できるように連結され、前記回転ロッドの中には前方へ開口した連結溝が左右へ貫通するように設置され、前記連結溝の上下内壁の間には捻り軸が回転できるように連結され、前記捻り軸には手動ロッドが固定的に連結され、前記手動ロッドの上下両端と前記連結溝の上下内壁との間には捻りバネが固定的に連結され、前記手動ロッドの中にはネジ山抜き孔が左右へ貫通するように設置され、前記凹溝のうち対称中心から離れている側の内壁の中には前方へ開口した固定溝が連通するように設置され、前記固定溝のうち対称中心から離れている側の内壁の中にはバネ溝が連通するように設置され、前記バネ溝の中には挟み板がスライドできるように設置され、前記挟み板のうち対称中心に近接している一端が前記固定溝の中に伸びており、前記挟み板のうち対称中心から離れている一端と前記バネ溝のうち対称中心から離れている側の内壁との間には挟みバネが固定的に連結された。
【０００６】
更の技術プランとしては、前記凹溝の上下内壁の中には上方へ開口した収納溝が対称的に、且つ連通するように設置され、前記収納溝の後側内壁には固定ロッドが固定的に連結され、前記固定ロッドの前端にはネジ山回転盤が回転できるように連結され、前記ネジ山回転盤が前記ネジ山抜き孔とネジ山により連結されることができる。
【０００７】
更の技術プランとしては、前記伝動装置は前記開き溝の後側内壁の中に連通するように設置されたスライダガイドチャンバを含み、前記スライダガイドチャンバの中には起動スライダがスライドできるように設置され、前記起動スライダの前端が前記光補給ライトと接触した時に前記光補給ライトをつけることができ、前記起動スライダの中にはネジロッドがネジ山により連結され、前記スライダガイドチャンバの後側内壁の中にはギヤチャンバが連通するように設置され、前記ギヤチャンバの中には従動ギヤが回転できるように設置され、前記ネジロッドの後端が前記ギヤチャンバの中に伸びており、且つ前記従動ギヤに固定的に連結され、前記従動ギヤの右端には主動ギヤが噛み合うように設置され、前記主動ギヤのうち前記従動ギヤから離れている一端には長軸が固定的に連結され、前記ギヤチャンバの右側内壁の中には伝動チャンバが設置され、前記伝動チャンバの中には従動プーリが回転できるように設置され、前記長軸の右端が前記伝動チャンバの中に伸びており、且つ前記従動プーリに固定的に連結され、前記従動プーリの前側には主動プーリが回転できるように設置され、前記主動プーリと前記従動プーリとの間には伝動ベルトが連結され、前記主動プーリの中には短軸が固定的に連結され、前記短軸の左端が前記開き溝の中に伸びており、且つ前記額縁装置に連結された。
【０００８】
更の技術プランとしては、前記額縁装置は前記開き溝の中に回転できるように設置されたガラス額縁を含み、前記ガラス額縁の中には前方へ開口した写真貯蔵溝が設置され、前記短軸の左端が前記ガラス額縁の右端面に固定的に連結された。
【発明の効果】
【０００９】
本発明の有益効果は：本発明は構成が簡単で、操作が便利で、写真をガラス額縁の中に入れた後、光補給ライトにより光を補給でき、しかも凸台全体を乾燥チャンバの中に回転させて収納することができ、写真が湿気ることを防止でき、凸台が壁の外部に回転した時、乾燥チャンバの中に他の物を貯蔵できる。
【図面の簡単な説明】
【００１０】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の光を補給できるホーム装飾額縁の内部構成模式図
【図２】図２は図１の中の「Ａ―Ａ」方向の構成模式図
【図３】図３は図１の中の「Ｂ―Ｂ」方向の構成模式図
【図４】図４は図１の中の「Ｃ―Ｃ」方向の構成模式図
【図５】図５は図４の中の「Ｄ」の拡大模式図
【図６】図６は図５の中の「Ｅ―Ｅ」方向の構成模式図
【発明を実施するための形態】
【００１２】
図１〜６を参照し、本発明の光を補給できるホーム装飾額縁は、壁１１を含み、前記壁１１の中には前方へ開口した乾燥チャンバ１２が設置され、前記乾燥チャンバ１２の後側内壁の中には除湿板３８が固定的に設置され、前記乾燥チャンバ１２の中には水平軸１３が回転できるように、且つスライドできるように設置され、前記水平軸１３には凸台１４が固定的に連結され、前記凸台１４の中には伝動装置１０１が設置され、前記凸台１４の中には前方へ開口した開き溝３７が設置され、前記開き溝３７の後側内壁には光補給ライト４１が固定的に設置され、前記伝動装置１０１により前記光補給ライト４１をつけることができ、前記開き溝３７の中には額縁装置１０２が設置され、前記伝動装置１０１と前記額縁装置１０２との間が回転できるように連結され、前記乾燥チャンバ１２の左右両側の内壁の中には手動装置１００が設置され、前記手動装置１００が前記水平軸１３の左右両端に回転できるように連結され、前記手動装置１００は前記乾燥チャンバ１２の左右両側の内壁の中に左右対称的に、且つ連通するように設置されたガイドスライド溝１６を含み、前記ガイドスライド溝１６の中にはガイドスライドブロック１５がスライドできるように設置され、両側の前記ガイドスライドブロック１５がそれぞれ前記水平軸１３の左右両端に回転できるように連結され、前記ガイドスライドブロック１５の後端と前記ガイドスライド溝１６の後側内壁との間には&#24378;力バネ２３が固定的に連結され、前記ガイドスライド溝１６のうち対称中心から離れている側の内壁の中には位置制限溝２４が連通するように設置され、前記位置制限溝２４のうち対称中心から離れている側の内壁の中には上方へ開口した凹溝２２が連通するように設置され、前記水平軸１３の左右両端がそれぞれ両側の前記凹溝２２の中に伸びており、且つ前記水平軸１３の左右両端には回転輪２０が固定的に連結され、前記回転輪２０の前端には回転ロッド２５が回転できるように連結され、前記回転ロッド２５の中には前方へ開口した連結溝２６が左右へ貫通するように設置され、前記連結溝２６の上下内壁の間には捻り軸２８が回転できるように連結され、前記捻り軸２８には手動ロッド２７が固定的に連結され、前記手動ロッド２７の上下両端と前記連結溝２６の上下内壁との間には捻りバネ３５が固定的に連結され、前記手動ロッド２７の中にはネジ山抜き孔２９が左右へ貫通するように設置され、前記凹溝２２のうち対称中心から離れている側の内壁の中には前方へ開口した固定溝２１が連通するように設置され、前記固定溝２１のうち対称中心から離れている側の内壁の中にはバネ溝３２が連通するように設置され、前記バネ溝３２の中には挟み板３０がスライドできるように設置され、前記挟み板３０のうち対称中心に近接している一端が前記固定溝２１の中に伸びており、前記挟み板３０のうち対称中心から離れている一端と前記バネ溝３２のうち対称中心から離れている側の内壁との間には挟みバネ３１が固定的に連結された。
【００１３】
有益的には、前記凹溝２２の上下内壁の中には上方へ開口した収納溝１７が対称的に、且つ連通するように設置され、前記収納溝１７の後側内壁には固定ロッド３３が固定的に連結され、前記固定ロッド３３の前端にはネジ山回転盤３４が回転できるように連結され、前記ネジ山回転盤３４が前記ネジ山抜き孔２９とネジ山により連結されることができる。
【００１４】
有益的には、前記伝動装置１０１は前記開き溝３７の後側内壁の中に連通するように設置されたスライダガイドチャンバ４２を含み、前記スライダガイドチャンバ４２の中には起動スライダ４３がスライドできるように設置され、前記起動スライダ４３の前端が前記光補給ライト４１と接触した時に前記光補給ライト４１をつけることができ、前記起動スライダ４３の中にはネジロッド４４がネジ山により連結され、前記スライダガイドチャンバ４２の後側内壁の中にはギヤチャンバ４６が連通するように設置され、前記ギヤチャンバ４６の中には従動ギヤ４８が回転できるように設置され、前記ネジロッド４４の後端が前記ギヤチャンバ４６の中に伸びており、且つ前記従動ギヤ４８に固定的に連結され、前記従動ギヤ４８の右端には主動ギヤ４７が噛み合うように設置され、前記主動ギヤ４７のうち前記従動ギヤ４８から離れている一端には長軸４５が固定的に連結され、前記ギヤチャンバ４６の右側内壁の中には伝動チャンバ５１が設置され、前記伝動チャンバ５１の中には従動プーリ５２が回転できるように設置され、前記長軸４５の右端が前記伝動チャンバ５１の中に伸びており、且つ前記従動プーリ５２に固定的に連結され、前記従動プーリ５２の前側には主動プーリ４９が回転できるように設置され、前記主動プーリ４９と前記従動プーリ５２との間には伝動ベルト５０が連結され、前記主動プーリ４９の中には短軸４０が固定的に連結され、前記短軸４０の左端が前記開き溝３７の中に伸びており、且つ前記額縁装置１０２に連結された。
【００１５】
有益的には、前記額縁装置１０２は前記開き溝３７の中に回転できるように設置されたガラス額縁３６を含み、前記ガラス額縁３６の中には前方へ開口した写真貯蔵溝３９が設置され、前記短軸４０の左端が前記ガラス額縁３６の右端面に固定的に連結された。
【００１６】
初期状態において、手動ロッド２７が下側の収納溝１７の中に位置しており、ネジ山抜き孔２９が下側のネジ山回転盤３４を通り抜け、この時、捻りバネ３５がエネルギー蓄積状態にある。
【００１７】
使用する時、写真を写真貯蔵溝３９の中に置き、ガラス額縁３６を回転させて鉛直に保ち、更に短軸４０を連動させて回転させ、更に主動プーリ４９を連動させて回転させ、更に伝動ベルト５０により従動プーリ５２を連動させて回転させ、更に長軸４５により主動ギヤ４７を連動させて回転させ、更に従動ギヤ４８を連動させて回転させ、更にネジロッド４４を連動させて回転させ、更に起動スライダ４３を連動させてスライドさせて光補給ライト４１と接触させ、更に光補給ライト４１をつけ、ガラス額縁３６がガラス材質なので、光がガラス額縁３６を通して散乱した後、写真に射して光を補給し、写真を収納する時、手動ロッド２７を回転させて手動ロッド２７と回転ロッド２５とを重ね合わせ、手動ロッド２７が回転する過程において、ネジ山抜き孔２９とネジ山回転盤３４との間のネジ山による連結を通じてネジ山回転盤３４を連動させて回転させることができ、捻りバネ３５の弾力の作用のもとで、手動ロッド２７の揺れ動く速度が速すぎることを避け、同時に凸台１４が前後に小幅にスライドでき、手でネジ山抜き孔２９を握って回転ロッド２５により回転輪２０を連動させて回転させ、更に水平軸１３を連動させて回転させ、更に凸台１４を連動させて回転させ、凸台１４が半周回転した後、凸台１４が完全に乾燥チャンバ１２の中に位置し、且つ開き溝３７が乾燥チャンバ１２の内側に向かい、除湿板３８が乾燥チャンバ１２を除湿することができ、写真が湿気ることを避け、この時、手動ロッド２７を回転させてネジ山抜き孔２９を上側のネジ山回転盤３４に連結することができ、乾燥チャンバ１２の中に他の物を貯蔵する時、回転輪２０を九十度回転させ、この時、乾燥チャンバ１２を壁の外部に連通し、この時、回転ロッド２５を回転輪２０に対して九十度回転させ、更に手動ロッド２７を連動させて九十度回転させ、この時、手動ロッド２７を揺り動かし、手動ロッド２７と固定溝２１の内壁との接触により回転輪２０を連動させて前方へスライドさせ、更に水平軸１３により凸台１４を連動させてネジ山抜き孔２９が固定溝２１の中に揺れ動くまで前方へスライドさせ、挟み板３０がネジ山抜き孔２９の中に伸びており、且つネジ山抜き孔２９の内壁と接触し、挟みバネ３１の弾力作用のもとで手動ロッド２７をきつく挟み、この時、乾燥チャンバ１２の中に物を貯蔵することができ、挟み板３０を引き動かしてネジ山抜き孔２９から離脱させ、この時、手動ロッド２７を初期状態に戻すことができる。
【００１８】
本発明の有益効果は：本発明は構成が簡単で、操作が便利で、写真をガラス額縁の中に入れた後、光補給ライトにより光を補給でき、しかも凸台全体を乾燥チャンバの中に回転させて収納することができ、写真が湿気ることを防止でき、凸台が壁の外部に回転した時、乾燥チャンバの中に他の物を貯蔵できる。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020182793.tif 000003
【図２】
2020182793.tif 000004
【図３】
2020182793.tif 000005
【図４】
2020182793.tif 000006
【図５】
2020182793.tif 000007
【図６】
2020182793.tif 000008
【手続補正書】
【提出日】令和2年4月8日(2020.4.8)
【手続補正１】
【補正対象書類名】特許請求の範囲
【補正対象項目名】請求項１
【補正方法】変更
【補正の内容】
【請求項１】
正面視で、壁を含み、前記壁の中には前方へ開口した乾燥チャンバが設置され、前記乾燥チャンバの後側内壁の中には除湿板が固定的に設置され、前記乾燥チャンバの中には水平軸が回転できるように、且つスライドできるように設置され、前記水平軸には凸台が固定的に連結され、前記凸台の中には伝動装置が設置され、前記凸台の中には前方へ開口した開き溝が設置され、前記開き溝の後側内壁には光補給ライトが固定的に設置され、前記伝動装置により前記光補給ライトをつけることができ、前記開き溝の中には額縁装置が設置され、前記伝動装置と前記額縁装置との間が回転できるように連結され、前記乾燥チャンバの左右両側の内壁の中には手動装置が設置され、前記手動装置が前記水平軸の左右両端に回転できるように連結され、前記手動装置は前記乾燥チャンバの左右両側の内壁の中に左右対称的に、且つ連通するように設置されたガイドスライド溝を含み、前記ガイドスライド溝の中にはガイドスライドブロックがスライドできるように設置され、両側の前記ガイドスライドブロックがそれぞれ前記水平軸の左右両端に回転できるように連結され、前記ガイドスライドブロックの後端と前記ガイドスライド溝の後側内壁との間には強力バネが固定的に連結され、前記ガイドスライド溝のうち対称中心から離れている側の内壁の中には位置制限溝が連通するように設置され、前記位置制限溝のうち対称中心から離れている側の内壁の中には上方へ開口した凹溝が連通するように設置され、前記水平軸の左右両端がそれぞれ両側の前記凹溝の中に伸びており、且つ前記水平軸の左右両端には回転輪が固定的に連結され、前記回転輪の前端には回転ロッドが回転できるように連結され、前記回転ロッドの中には前方へ開口した連結溝が左右へ貫通するように設置され、前記連結溝の上下内壁の間には捻り軸が回転できるように連結され、前記捻り軸には手動ロッドが固定的に連結され、前記手動ロッドの上下両端と前記連結溝の上下内壁との間には捻りバネが固定的に連結され、前記手動ロッドの中にはネジ山抜き孔が左右へ貫通するように設置され、前記凹溝のうち対称中心から離れている側の内壁の中には前方へ開口した固定溝が連通するように設置され、前記固定溝のうち対称中心から離れている側の内壁の中にはバネ溝が連通するように設置され、前記バネ溝の中には挟み板がスライドできるように設置され、前記挟み板のうち対称中心に近接している一端が前記固定溝の中に伸びており、前記挟み板のうち対称中心から離れている一端と前記バネ溝のうち対称中心から離れている側の内壁との間には挟みバネが固定的に連結されたことを特徴とする光を補給できるホーム装飾額縁。
【手続補正２】
【補正対象書類名】明細書
【補正対象項目名】全文
【補正方法】変更
【補正の内容】
【発明の詳細な説明】
【技術分野】
【０００１】
本発明は装飾品分野を取り上げて、具体的には光を補給できるホーム装飾額縁である。
【背景技術】
【０００２】
一部の人は額縁で部屋を飾ることが好きであり、一般的に写真をきれいな額縁に入れ、また額縁を壁に掛け、部屋をもっと綺麗にし、お客さんを引き付けることもでき、しかし、もし部屋の日当たりが悪ければ、写真が普通の額縁に入れられたらはっきり見えなく、しかも写真を長時間壁に掛けると写真が湿気やすく、本発明が提出した光を補給できるホーム装飾額縁は、上記の問題を解決できる。
【先行技術文献】
【特許文献】
【０００３】
【特許文献１】中国特許出願公開第１０９４１９２３８号明細書
【発明の概要】
【発明が解決しようとする課題】
【０００４】
本発明は光を補給できるホーム装飾額縁を提供し、従来技術における上記問題を解決することを目的とする。
【課題を解決するための手段】
【０００５】
本発明は以下の技術プランを通じて実現される：  本発明の光を補給できるホーム装飾額縁は、壁を含み、前記壁の中には前方へ開口した乾燥チャンバが設置され、前記乾燥チャンバの後側内壁の中には除湿板が固定的に設置され、前記乾燥チャンバの中には水平軸が回転できるように、且つスライドできるように設置され、前記水平軸には凸台が固定的に連結され、前記凸台の中には伝動装置が設置され、前記凸台の中には前方へ開口した開き溝が設置され、前記開き溝の後側内壁には光補給ライトが固定的に設置され、前記伝動装置により前記光補給ライトをつけることができ、前記開き溝の中には額縁装置が設置され、前記伝動装置と前記額縁装置との間が回転できるように連結され、前記乾燥チャンバの左右両側の内壁の中には手動装置が設置され、前記手動装置が前記水平軸の左右両端に回転できるように連結され、前記手動装置は前記乾燥チャンバの左右両側の内壁の中に左右対称的に、且つ連通するように設置されたガイドスライド溝を含み、前記ガイドスライド溝の中にはガイドスライドブロックがスライドできるように設置され、両側の前記ガイドスライドブロックがそれぞれ前記水平軸の左右両端に回転できるように連結され、前記ガイドスライドブロックの後端と前記ガイドスライド溝の後側内壁との間には強力バネが固定的に連結され、前記ガイドスライド溝のうち対称中心から離れている側の内壁の中には位置制限溝が連通するように設置され、前記位置制限溝のうち対称中心から離れている側の内壁の中には上方へ開口した凹溝が連通するように設置され、前記水平軸の左右両端がそれぞれ両側の前記凹溝の中に伸びており、且つ前記水平軸の左右両端には回転輪が固定的に連結され、前記回転輪の前端には回転ロッドが回転できるように連結され、前記回転ロッドの中には前方へ開口した連結溝が左右へ貫通するように設置され、前記連結溝の上下内壁の間には捻り軸が回転できるように連結され、前記捻り軸には手動ロッドが固定的に連結され、前記手動ロッドの上下両端と前記連結溝の上下内壁との間には捻りバネが固定的に連結され、前記手動ロッドの中にはネジ山抜き孔が左右へ貫通するように設置され、前記凹溝のうち対称中心から離れている側の内壁の中には前方へ開口した固定溝が連通するように設置され、前記固定溝のうち対称中心から離れている側の内壁の中にはバネ溝が連通するように設置され、前記バネ溝の中には挟み板がスライドできるように設置され、前記挟み板のうち対称中心に近接している一端が前記固定溝の中に伸びており、前記挟み板のうち対称中心から離れている一端と前記バネ溝のうち対称中心から離れている側の内壁との間には挟みバネが固定的に連結された。
【０００６】
更の技術プランとしては、前記凹溝の上下内壁の中には上方へ開口した収納溝が対称的に、且つ連通するように設置され、前記収納溝の後側内壁には固定ロッドが固定的に連結され、前記固定ロッドの前端にはネジ山回転盤が回転できるように連結され、前記ネジ山回転盤が前記ネジ山抜き孔とネジ山により連結されることができる。
【０００７】
更の技術プランとしては、前記伝動装置は前記開き溝の後側内壁の中に連通するように設置されたスライダガイドチャンバを含み、前記スライダガイドチャンバの中には起動スライダがスライドできるように設置され、前記起動スライダの前端が前記光補給ライトと接触した時に前記光補給ライトをつけることができ、前記起動スライダの中にはネジロッドがネジ山により連結され、前記スライダガイドチャンバの後側内壁の中にはギヤチャンバが連通するように設置され、前記ギヤチャンバの中には従動ギヤが回転できるように設置され、前記ネジロッドの後端が前記ギヤチャンバの中に伸びており、且つ前記従動ギヤに固定的に連結され、前記従動ギヤの右端には主動ギヤが噛み合うように設置され、前記主動ギヤのうち前記従動ギヤから離れている一端には長軸が固定的に連結され、前記ギヤチャンバの右側内壁の中には伝動チャンバが設置され、前記伝動チャンバの中には従動プーリが回転できるように設置され、前記長軸の右端が前記伝動チャンバの中に伸びており、且つ前記従動プーリに固定的に連結され、前記従動プーリの前側には主動プーリが回転できるように設置され、前記主動プーリと前記従動プーリとの間には伝動ベルトが連結され、前記主動プーリの中には短軸が固定的に連結され、前記短軸の左端が前記開き溝の中に伸びており、且つ前記額縁装置に連結された。
【０００８】
更の技術プランとしては、前記額縁装置は前記開き溝の中に回転できるように設置されたガラス額縁を含み、前記ガラス額縁の中には前方へ開口した写真貯蔵溝が設置され、前記短軸の左端が前記ガラス額縁の右端面に固定的に連結された。
【発明の効果】
【０００９】
本発明の有益効果は：本発明は構成が簡単で、操作が便利で、写真をガラス額縁の中に入れた後、光補給ライトにより光を補給でき、しかも凸台全体を乾燥チャンバの中に回転させて収納することができ、写真が湿気ることを防止でき、凸台が壁の外部に回転した時、乾燥チャンバの中に他の物を貯蔵できる。
【図面の簡単な説明】
【００１０】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の光を補給できるホーム装飾額縁の内部構成模式図
【図２】図２は図１の中の「Ａ―Ａ」方向の構成模式図
【図３】図３は図１の中の「Ｂ―Ｂ」方向の構成模式図
【図４】図４は図１の中の「Ｃ―Ｃ」方向の構成模式図
【図５】図５は図４の中の「Ｄ」の拡大模式図
【図６】図６は図５の中の「Ｅ―Ｅ」方向の構成模式図
【発明を実施するための形態】
【００１２】
図１〜６を参照し、本発明の光を補給できるホーム装飾額縁は、壁１１を含み、前記壁１１の中には前方へ開口した乾燥チャンバ１２が設置され、前記乾燥チャンバ１２の後側内壁の中には除湿板３８が固定的に設置され、前記乾燥チャンバ１２の中には水平軸１３が回転できるように、且つスライドできるように設置され、前記水平軸１３には凸台１４が固定的に連結され、前記凸台１４の中には伝動装置１０１が設置され、前記凸台１４の中には前方へ開口した開き溝３７が設置され、前記開き溝３７の後側内壁には光補給ライト４１が固定的に設置され、前記伝動装置１０１により前記光補給ライト４１をつけることができ、前記開き溝３７の中には額縁装置１０２が設置され、前記伝動装置１０１と前記額縁装置１０２との間が回転できるように連結され、前記乾燥チャンバ１２の左右両側の内壁の中には手動装置１００が設置され、前記手動装置１００が前記水平軸１３の左右両端に回転できるように連結され、前記手動装置１００は前記乾燥チャンバ１２の左右両側の内壁の中に左右対称的に、且つ連通するように設置されたガイドスライド溝１６を含み、前記ガイドスライド溝１６の中にはガイドスライドブロック１５がスライドできるように設置され、両側の前記ガイドスライドブロック１５がそれぞれ前記水平軸１３の左右両端に回転できるように連結され、前記ガイドスライドブロック１５の後端と前記ガイドスライド溝１６の後側内壁との間には強力バネ２３が固定的に連結され、前記ガイドスライド溝１６のうち対称中心から離れている側の内壁の中には位置制限溝２４が連通するように設置され、前記位置制限溝２４のうち対称中心から離れている側の内壁の中には上方へ開口した凹溝２２が連通するように設置され、前記水平軸１３の左右両端がそれぞれ両側の前記凹溝２２の中に伸びており、且つ前記水平軸１３の左右両端には回転輪２０が固定的に連結され、前記回転輪２０の前端には回転ロッド２５が回転できるように連結され、前記回転ロッド２５の中には前方へ開口した連結溝２６が左右へ貫通するように設置され、前記連結溝２６の上下内壁の間には捻り軸２８が回転できるように連結され、前記捻り軸２８には手動ロッド２７が固定的に連結され、前記手動ロッド２７の上下両端と前記連結溝２６の上下内壁との間には捻りバネ３５が固定的に連結され、前記手動ロッド２７の中にはネジ山抜き孔２９が左右へ貫通するように設置され、前記凹溝２２のうち対称中心から離れている側の内壁の中には前方へ開口した固定溝２１が連通するように設置され、前記固定溝２１のうち対称中心から離れている側の内壁の中にはバネ溝３２が連通するように設置され、前記バネ溝３２の中には挟み板３０がスライドできるように設置され、前記挟み板３０のうち対称中心に近接している一端が前記固定溝２１の中に伸びており、前記挟み板３０のうち対称中心から離れている一端と前記バネ溝３２のうち対称中心から離れている側の内壁との間には挟みバネ３１が固定的に連結された。
【００１３】
有益的には、前記凹溝２２の上下内壁の中には上方へ開口した収納溝１７が対称的に、且つ連通するように設置され、前記収納溝１７の後側内壁には固定ロッド３３が固定的に連結され、前記固定ロッド３３の前端にはネジ山回転盤３４が回転できるように連結され、前記ネジ山回転盤３４が前記ネジ山抜き孔２９とネジ山により連結されることができる。
【００１４】
有益的には、前記伝動装置１０１は前記開き溝３７の後側内壁の中に連通するように設置されたスライダガイドチャンバ４２を含み、前記スライダガイドチャンバ４２の中には起動スライダ４３がスライドできるように設置され、前記起動スライダ４３の前端が前記光補給ライト４１と接触した時に前記光補給ライト４１をつけることができ、前記起動スライダ４３の中にはネジロッド４４がネジ山により連結され、前記スライダガイドチャンバ４２の後側内壁の中にはギヤチャンバ４６が連通するように設置され、前記ギヤチャンバ４６の中には従動ギヤ４８が回転できるように設置され、前記ネジロッド４４の後端が前記ギヤチャンバ４６の中に伸びており、且つ前記従動ギヤ４８に固定的に連結され、前記従動ギヤ４８の右端には主動ギヤ４７が噛み合うように設置され、前記主動ギヤ４７のうち前記従動ギヤ４８から離れている一端には長軸４５が固定的に連結され、前記ギヤチャンバ４６の右側内壁の中には伝動チャンバ５１が設置され、前記伝動チャンバ５１の中には従動プーリ５２が回転できるように設置され、前記長軸４５の右端が前記伝動チャンバ５１の中に伸びており、且つ前記従動プーリ５２に固定的に連結され、前記従動プーリ５２の前側には主動プーリ４９が回転できるように設置され、前記主動プーリ４９と前記従動プーリ５２との間には伝動ベルト５０が連結され、前記主動プーリ４９の中には短軸４０が固定的に連結され、前記短軸４０の左端が前記開き溝３７の中に伸びており、且つ前記額縁装置１０２に連結された。
【００１５】
有益的には、前記額縁装置１０２は前記開き溝３７の中に回転できるように設置されたガラス額縁３６を含み、前記ガラス額縁３６の中には前方へ開口した写真貯蔵溝３９が設置され、前記短軸４０の左端が前記ガラス額縁３６の右端面に固定的に連結された。
【００１６】
初期状態において、手動ロッド２７が下側の収納溝１７の中に位置しており、ネジ山抜き孔２９が下側のネジ山回転盤３４を通り抜け、この時、捻りバネ３５がエネルギー蓄積状態にある。
【００１７】
使用する時、写真を写真貯蔵溝３９の中に置き、ガラス額縁３６を回転させて鉛直に保ち、更に短軸４０を連動させて回転させ、更に主動プーリ４９を連動させて回転させ、更に伝動ベルト５０により従動プーリ５２を連動させて回転させ、更に長軸４５により主動ギヤ４７を連動させて回転させ、更に従動ギヤ４８を連動させて回転させ、更にネジロッド４４を連動させて回転させ、更に起動スライダ４３を連動させてスライドさせて光補給ライト４１と接触させ、更に光補給ライト４１をつけ、ガラス額縁３６がガラス材質なので、光がガラス額縁３６を通して散乱した後、写真に射して光を補給し、写真を収納する時、手動ロッド２７を回転させて手動ロッド２７と回転ロッド２５とを重ね合わせ、手動ロッド２７が回転する過程において、ネジ山抜き孔２９とネジ山回転盤３４との間のネジ山による連結を通じてネジ山回転盤３４を連動させて回転させることができ、捻りバネ３５の弾力の作用のもとで、手動ロッド２７の揺れ動く速度が速すぎることを避け、同時に凸台１４が前後に小幅にスライドでき、手でネジ山抜き孔２９を握って回転ロッド２５により回転輪２０を連動させて回転させ、更に水平軸１３を連動させて回転させ、更に凸台１４を連動させて回転させ、凸台１４が半周回転した後、凸台１４が完全に乾燥チャンバ１２の中に位置し、且つ開き溝３７が乾燥チャンバ１２の内側に向かい、除湿板３８が乾燥チャンバ１２を除湿することができ、写真が湿気ることを避け、この時、手動ロッド２７を回転させてネジ山抜き孔２９を上側のネジ山回転盤３４に連結することができ、乾燥チャンバ１２の中に他の物を貯蔵する時、回転輪２０を九十度回転させ、この時、乾燥チャンバ１２を壁の外部に連通し、この時、回転ロッド２５を回転輪２０に対して九十度回転させ、更に手動ロッド２７を連動させて九十度回転させ、この時、手動ロッド２７を揺り動かし、手動ロッド２７と固定溝２１の内壁との接触により回転輪２０を連動させて前方へスライドさせ、更に水平軸１３により凸台１４を連動させてネジ山抜き孔２９が固定溝２１の中に揺れ動くまで前方へスライドさせ、挟み板３０がネジ山抜き孔２９の中に伸びており、且つネジ山抜き孔２９の内壁と接触し、挟みバネ３１の弾力作用のもとで手動ロッド２７をきつく挟み、この時、乾燥チャンバ１２の中に物を貯蔵することができ、挟み板３０を引き動かしてネジ山抜き孔２９から離脱させ、この時、手動ロッド２７を初期状態に戻すことができる。
【００１８】
本発明の有益効果は：本発明は構成が簡単で、操作が便利で、写真をガラス額縁の中に入れた後、光補給ライトにより光を補給でき、しかも凸台全体を乾燥チャンバの中に回転させて収納することができ、写真が湿気ることを防止でき、凸台が壁の外部に回転した時、乾燥チャンバの中に他の物を貯蔵できる。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。